(57)【要約】【課題】遊技客が遊技施設から受け取った特殊景品から板状メモリを取り出すことは可能であるが、特殊景品から板状メモリを取り出した形跡があるか否かを景品交換所で容易に判別できる遊技施設用の特殊景品の提供。【解決手段】遊技施設用の特殊景品Ａは、基板表面に凹所１１を形成し、格納凹部１２を凹所１１に形成した長方形の基板１と、不揮発性半導体記憶素子にデジタルデータを電気的に記憶させ、格納凹部１２内に格納される板状メモリ２と、凹所表面に接着剤等で下面が固定され、凹所１１を塞ぐ蓋３とを備えてなる。遊技客が遊技施設から特殊景品Ａを受け取った場合、そのまま景品交換所へ持っていけば換金することができるし、蓋３の下面を凹所表面から引き剥がせば、板状メモリ２を基板の格納凹部１２から取り出すことができ、記憶されているデジタルデータを利用することができる。【選択図】図１
0003150805.tif 000002
【実用新案登録請求の範囲】
【請求項１】
基板表面に凹所を形成し、後述する板状メモリと同形状の格納凹部を前記凹所の適所に形成した長方形の基板と、
不揮発性半導体記憶素子にデジタルデータを電気的に記憶させ、格納凹部内に格納される板状メモリと、
凹所表面に接着剤等で下面が固定され、前記凹所を塞ぐ蓋とを備えてなる遊技施設用の特殊景品。
【請求項２】
前記蓋には、前記板状メモリへ記憶させた前記デジタルデータに関連する印刷が施されていることを特徴とする請求項１に記載の遊技施設用の特殊景品。
【請求項３】
蓋外縁と凹所外周とを封印手段により封印したことを特徴とする請求項２に記載の遊技施設用の特殊景品。
【請求項４】
基板の表面および裏面に凹所を形成し、後述する板状メモリと同形状の貫通穴を各凹所を貫通する様に明けた長方形の基板と、
不揮発性半導体記憶素子にデジタルデータを電気的に記憶させ、前記貫通穴に収納される板状メモリと、
基板表面の凹所表面に接着剤等で下面が固定され、基板表面の凹所を塞ぐ表蓋と、
基板裏面の凹所表面に接着剤等で下面が固定され、基板裏面の凹所を塞ぐ裏蓋とを備えてなる遊技施設用の特殊景品。
【請求項５】
前記表蓋には、前記板状メモリへ記憶させた前記デジタルデータに関連する印刷が施されていることを特徴とする請求項４に記載の遊技施設用の特殊景品。
【請求項６】
表蓋外縁と基板表面の凹所外周、および裏蓋外縁と基板裏面の凹所外周とを封印手段により封印したことを特徴とする請求項６または請求項７に記載の遊技施設用の特殊景品。
【考案の詳細な説明】
【技術分野】
【０００１】
本考案は、七号営業を営む遊技施設において、遊技客が三店方式で景品交換する時に用いる遊技施設用の特殊景品に関する。
【背景技術】
【０００２】
パチンコ店等の遊技施設は、下記に示す三店方式で景品交換を行っている。
遊技施設は、出玉やメダル数に応じた特殊景品（または一般景品）を遊技客に渡す。
古物商の許可を受けた景品交換所は、遊技客が持参した特殊景品を現金で買い取る。
景品問屋は、景品交換所から特殊景品を買い取り、遊技施設へ卸す。 特殊景品には、金地金、箱入筆記用具、コイン、ペンダント等が使われている。また、景品本体を１度でもケースから出した場合には、特殊景品を景品交換所が買い取らないきまりである。            
【先行技術文献】
【特許文献】
【０００３】
【特許文献１】特開平８−３３６６５９号公報
【特許文献２】実用新案登録第３１４０２６５号公報
【０００４】
なお、偽物の特殊景品を景品交換所が誤って買い取らない様に、特殊景品にバーコード部を設けた技術（特許文献１）や、無線ＩＣタグを装備した技術（特許文献２）も知られている。
【考案の概要】
【考案が解決しようとする課題】
【０００５】
特許文献１の技術では、バーコード部をコピーして中身を入れ換えると特殊景品を簡単に偽造されてしまう。また、バーコード部が付いているので特殊景品の見栄えが悪い。
また、景品本体が魅力に欠けるので、遊技客が遊技施設から受け取った特殊景品を景品交換所へ持っていかずに中身を取り出して使ってしまうという衝動が起き難い。
【０００６】
特許文献２の技術では、薄板体の表面又は内部に装備した不揮発性メモリを遊技客が取り出し、そのデータをコピーした後に再び薄板体に再装備して景品交換所へ持ち込んで換金してしまう可能性がある。
【０００７】
本考案の目的は、遊技客が遊技施設から受け取った特殊景品から板状メモリを取り出すことは可能であるが、特殊景品から板状メモリを取り出した形跡があるか否かを景品交換所で容易に判別できる遊技施設用の特殊景品の提供にある。
【課題を解決するための手段】
【０００８】
〔請求項１について〕
遊技施設用の特殊景品は、基板表面に凹所を形成した基板と、板状メモリと、凹所を塞ぐ蓋とを備える。
基板は、長方形であり、後述する板状メモリと同形状の格納凹部を凹所の適所に形成している。
【０００９】
板状メモリは、不揮発性半導体記憶素子にデジタルデータを電気的に記憶させ、格納凹部内に格納されている。
蓋は、基板表面の凹所表面に接着剤等で下面が固定されている。
【００１０】
遊技客が遊技施設から特殊景品を受け取った場合、そのまま景品交換所へ持っていけば換金することができる。
【００１１】
また、蓋の下面を凹所表面から引き剥がせば、板状メモリを基板の格納凹部から取り出すことができ、記憶されているデジタルデータを利用することができる。この特殊景品は、不揮発性半導体記憶素子にデジタルデータを電気的に記憶させた板状メモリであるので、時代のニーズに合っている。
【００１２】
但し、板状メモリを取り出した場合には、蓋を引き剥がす際に蓋が変形したり、接着剤が引きちぎられる。このため、遊技客が別の板状メモリとすり替えたり、データをコピーした後に再び基板の格納凹部へ板状メモリを戻して凹所を蓋で塞いでも、板状メモリを取り出した形跡があることを景品交換所側で容易に判別でき、不正換金を防止できる。
【００１３】
〔請求項２について〕
板状メモリへ記憶させたデジタルデータに関連する印刷が蓋に施されているため、遊技施設から特殊景品を渡された遊技客は、その印刷を見て、板状メモリの内容を容易に知ることができる。
【００１４】
このため、遊技客が遊技施設から受け取った特殊景品を景品交換所へ持っていかずに板状メモリを取り出して、記憶されているデジタルデータを利用する衝動が起き易い。
なお、通常、換金額＞特殊景品の原価に設定してあるので、換金が行われない場合には、その差額分だけ遊技施設の支出が軽減される。
【００１５】
〔請求項３について〕
蓋外縁と基板表面の凹所外周とを封印手段（封印シールや爪等）により封印している。このため、格納凹部から板状メモリを取り出す場合には、まず、封印手段の封印を破る必要がある。
このため、景品交換所側は、封印が破れていないか否かを確認するだけで簡単に不正の有無を判断できる。
【００１６】
〔請求項４について〕
遊技施設用の特殊景品は、基板の表面および裏面に凹所を形成した基板と、板状メモリと、基板表面・裏面の凹所を塞ぐ表蓋および裏蓋とを備える。
【００１７】
基板は、長方形であり、後述する板状メモリと同形状の貫通穴が各凹所を貫通する様に明けられている。
板状メモリは、不揮発性半導体記憶素子にデジタルデータを電気的に記憶させたものであり、貫通穴に収納されている。
表蓋は、基板表面の凹所表面に接着剤等で下面が固定されている。
裏蓋は、基板裏面の凹所表面に接着剤等で下面が固定されている。
【００１８】
遊技客が遊技施設から特殊景品を受け取った場合、そのまま景品交換所へ持っていけば換金することができる。
【００１９】
また、表蓋の下面を基板表面の凹所表面から引き剥がせすか、裏蓋の下面を基板裏面の凹所表面から引き剥がせば、板状メモリを基板の貫通穴から取り出すことができ、記憶されているデジタルデータを利用することができる。この特殊景品は、不揮発性半導体記憶素子にデジタルデータを電気的に記憶させた板状メモリであるので、時代のニーズに合っている。
【００２０】
但し、板状メモリを貫通穴から取り出した場合には、表蓋または裏蓋を引き剥がす際に蓋が変形したり、接着剤が引きちぎられる。このため、遊技客が別の板状メモリとすり替えたり、データをコピーした後に再び基板の貫通穴へ板状メモリを戻して凹所を蓋で塞いでも、板状メモリを取り出した形跡があることを景品交換所側で容易に判別でき、不正換金を防止できる。
【００２１】
〔請求項５について〕
表蓋には、板状メモリへ記憶させたデジタルデータに関連する印刷が施されているため、遊技施設から特殊景品を渡された遊技客は、その印刷を見て、板状メモリの内容を容易に知ることができる。
【００２２】
このため、遊技客が遊技施設から受け取った特殊景品を景品交換所へ持っていかずに板状メモリを取り出して、記憶されているデジタルデータを利用する衝動が起き易い。
なお、通常、換金額＞特殊景品の原価に設定してあるので、換金が行われない場合には、その差額分だけ遊技施設の支出が軽減される。
【００２３】
〔請求項６について〕
表蓋外縁と基板表面の凹所外周、および裏蓋外縁と基板裏面の凹所外周とを封印手段（封印シールや爪等）により封印している。板状メモリを貫通穴から取り出す場合には、まず、封印手段の封印を破る必要がある。
このため、景品交換所側は、封印が破れていないか否かを確認するだけで簡単に不正の有無を判断できる。
【図面の簡単な説明】
【００２４】
【図１】本考案の実施例１にかかる遊技施設用の特殊景品の分解図である。
【図２】本考案の実施例２にかかる遊技施設用の特殊景品の斜視図である。
【図３】変形例にかかる遊技施設用の特殊景品の説明図である。
【考案を実施するための形態】
【００２５】
遊技施設用の特殊景品は、基板表面に凹所を形成し、格納凹部を凹所に形成した長方形の基板と、不揮発性半導体記憶素子にデジタルデータを電気的に記憶させ、格納凹部内に格納される板状メモリと、基板表面の凹所表面に接着剤等で下面が固定され、凹所を塞ぐ蓋とを備えてなる。
【００２６】
板状メモリを格納凹部から取り出した場合には、蓋を引き剥がす際に蓋が変形したり、接着剤が引きちぎられる。このため、遊技客が別の安い板状メモリとすり替えたり、データをコピーした後に再び基板の格納凹部へ板状メモリを戻して凹所を蓋で塞いでも、板状メモリを取り出した形跡があることを景品交換所側で容易に判別でき、不正換金を防止できる。
【実施例１】
【００２７】
本考案の実施例１（請求項１、２に対応）を図１に基づいて説明する。
遊技施設用の特殊景品Ａは、凹所１１内に格納凹部１２を形成した基板１と、格納凹部１２内に格納される板状メモリ２と、凹所１１を塞ぐ蓋３とを備えてなる。
【００２８】
長方形の基板１は、硬質プラスチックであり、基板中央の表面には、長方形の凹所１１が形成されている。
【００２９】
板状メモリ２は、所定ファイル形式（Ｍｐ３、Ｗａｖ、Ｍｉｄｙ等）で、フラッシュメモリ（不揮発性半導体記憶素子）に音楽データを電気的に記憶させたＭｉｎｉＳＤカード２１を嵌め込んだＭｉｃｒｏＳＤアダプタ（何れも商品名）である。
また、凹所１１に嵌め込まれる板状メモリ２は、所定ファイル形式（Ｍｐ３、Ｗａｖ、Ｍｉｄｙ等）で、フラッシュメモリ（不揮発性半導体記憶素子）に音楽データを電気的に記憶させたＭｉｃｒｏＳＤカード（商品名）であっても良い。
【００３０】
蓋３は、透明の硬質プラスチックで形成され、板状メモリ２を嵌め込んだ凹所１１に臨む箇所３１（略正方形）を透明のままとし、箇所３１を除く箇所には、デジタルデータの内容を印刷した絵柄３３が描かれている。
この蓋３は、凹所表面に接着剤により下面が接着されている。
【００３１】
本実施例の遊技施設用の特殊景品Ａは、以下の利点を有する。
遊技客が遊技施設から特殊景品Ａを受け取った場合、そのまま景品交換所へ持っていけば換金することができる。また、蓋３の下面を凹所１１から引き剥がせば、板状メモリ２を基板１の格納凹部１２から取り出すことができ、板状メモリ２に記憶されているデジタルデータを利用することができる。
但し、板状メモリ２を取り出した場合には、蓋３を凹所１１から引き剥がす際に蓋３が変形したり、接着剤が引きちぎられる。
【００３２】
このため、遊技客が板状メモリ２を別の板状メモリとすり替えたり、板状メモリ２のデータをコピーした後に再び基板１の格納凹部１２へ板状メモリ２を戻して凹所１１を蓋３で塞いでも、板状メモリ２を取り出した形跡があることを景品交換所側で容易に判別でき、不正換金を防止できる。
【００３３】
遊技施設から遊技施設用の特殊景品Ａを渡された遊技客は、格納凹部１２に格納された板状メモリ２に注目するとともに、絵柄３３の印刷を見て、板状メモリ２に格納されたデジタルデータの内容を容易に知ることができる。
こもため、遊技施設用の特殊景品Ａは、特殊景品の機能を果たすとともに、見栄えが良いので、遊技施設から渡された遊技客は、遊技客が景品交換所へ持っていかずに、蓋３を外して板状メモリ２を格納凹部１２から取り出して使ってしまうという衝動が起き易い。また、板状メモリ２は、フラッシュメモリにデジタルデータを電気的に記憶させたものなので時代のニーズに合っている。
【実施例２】
【００３４】
本考案の実施例２（請求項４、５、６に対応）を図２に基づいて説明する。
遊技施設用の特殊景品Ｂは、基板の表面・裏面に凹所４１、４２を形成した基板４と、板状メモリ２と、基板表面の凹所４１を塞ぐ表蓋５と、基板裏面の凹所４２を塞ぐ裏蓋６とを備えてなる。
【００３５】
長方形の基板４（硬質プラスチック製）には、表面および裏面に凹所４１、４２が形成され、板状メモリ２と同形状の貫通穴４３が凹所４１、４２を貫通する様に明けられている。
【００３６】
板状メモリ２は、実施例１と同じものである。
表蓋５は、基板表面の凹所４１に接着剤で下面が固定され、凹所４１を塞いでいる。この蓋５は、透明の硬質プラスチックで形成され、板状メモリ２を収納した貫通穴４３に臨む箇所（略正方形）を透明のままとし、他の箇所には、デジタルデータの内容を印刷した絵柄５１が描かれている。
【００３７】
裏蓋６は、基板裏表面の凹所４２に接着剤で下面が固定され、凹所４２を塞いでいる。この蓋５は、透明の硬質プラスチックで形成され、板状メモリ２を収納した貫通穴４３に臨む箇所（略正方形）を透明のままとし、他の箇所は黒に塗色している。
【００３８】
基板４の、基板表面の凹所外周である、四隅および長辺中央には、封印手段である三角形および長方形の爪４４、４５が設けられ（一体形成、接着、熱接合等）、表蓋外縁と基板表面の凹所外周とを封印している。
【００３９】
また、基板４の、基板裏表面の凹所外周である、四隅および長辺中央には、封印手段である三角形および長方形の爪４６、４７が設けられ（一体形成、接着、熱接合等）、表蓋外縁と基板裏面の凹所外周とを封印している。
【００４０】
本実施例の遊技施設用の特殊景品Ｂは、以下の利点を有する。
遊技客が遊技施設から特殊景品Ｂを受け取った場合、そのまま景品交換所へ持っていけば換金することができる。
【００４１】
基板４の、基板表面の凹所外周である、四隅および長辺中央には、封印手段である三角形および長方形の爪４４、４５が設けられ（一体形成、接着、熱接合等）、表蓋外縁と基板表面の凹所外周とを封印している。
【００４２】
板状メモリ２を貫通穴４３から取り出す場合には、まず、爪４４、４５または爪４６、４７をニッパ等で切り裂く必要がある。そして、表蓋５の下面を基板表面の凹所表面から引き剥がすか、裏蓋６の下面を基板裏面の凹所表面から引き剥がす作業を行う。これにより、板状メモリ２を貫通穴４３から取り出すことができ、記憶されているデジタルデータを利用することができる。この特殊景品Ｂは、不揮発性半導体記憶素子にデジタルデータを電気的に記憶させた板状メモリ２であるので、時代のニーズに合っている。
【００４３】
遊技客が板状メモリ２を別の板状メモリとすり替えたり、板状メモリ２のデータをコピーした後に再び基板４の貫通穴４３へ戻して凹所を蓋で塞いでも、景品交換所側は、爪が有るか否かを確認するだけで、板状メモリ２を取り出した形跡があることを景品交換所側で容易に判別でき、不正換金を防止できる。
【００４４】
表蓋５には、板状メモリ２へ記憶させたデジタルデータに関連する印刷が施されているため、遊技施設から特殊景品Ｂを渡された遊技客は、その印刷を見て、板状メモリ２の内容を容易に知ることができる。
【００４５】
このため、遊技客が遊技施設から受け取った特殊景品Ｂを景品交換所へ持っていかずに板状メモリ２を取り出して、記憶されているデジタルデータを利用する衝動が起き易い。  なお、通常、換金額＞特殊景品の原価に設定してあるので、換金が行われない場合には、その差額分だけ遊技施設の支出が軽減される。
【００４６】
本考案は、上記実施例以外に、つぎの実施態様を含む。
ａ．実施例１の特殊景品Ａにおいて、蓋外縁と凹所外周との間に封印シールを貼着する等の封印手段により、表蓋５および裏蓋６を封印しても良い（請求項３に対応）。
【００４７】
ｂ．実施例１の特殊景品Ａにおいて、所定ファイル形式（Ｍｐ３、Ｗａｖ、Ｍｉｄｙ等）で、フラッシュメモリ（不揮発性半導体記憶素子）に音楽データを電気的に記憶させたＭｉｎｉＳＤカード２１を直接、格納凹部１２へ格納しても良い。また、格納凹部１２は複数個、形成しても良く、その場合、大きさが異なっても良い（ＭｉｎｉＳＤカード２１用、ＭｉｃｒｏＳＤカード用）。
【００４８】
ｃ．基板および蓋が金属の場合には、蓋外縁と凹所外周との間の封印は、半田付けや溶接であっても良い。
【００４９】
ｄ．凹所表面に蓋下面を接着剤で固定する以外に、両面テープ等で蓋の下面を凹所表面に固定しても良い。この場合、再固定が比較的容易なので、封印手段を併用するか、両面テープ等を剥がして蓋を外すと、“無効”等が表示される構造にするのが好適である。
【００５０】
ｅ．図３に示す様に、格納凹部（貫通穴も可）を包囲する様に、蓋（表蓋、裏蓋も可）に複数の小穴を明けても良い。遊戯客が板状メモリを取り出して使いたい場合には、包囲部位を押圧したり、小穴が繋がる様にニッパや鋏等で包囲部分を切り取ることにより容易に板状メモリを格納凹部（貫通穴も可）から取り出すことができる。なお、復元不可であるので不正換金を防止できる。
【産業上の利用可能性】
【００５１】
本考案は、時代のニーズに合った特殊景品を、七号営業を営む遊技施設へ提供することができ、遊技施設への来店人数を増やすことができる。
【符号の説明】
【００５２】
Ａ、Ｂ  遊技施設用の特殊景品
１  基板
２  板状メモリ
３  蓋
４  基板
５  表蓋
６  裏蓋
１１、４１、４２  凹所
１２  格納凹部
４３  貫通穴
４４、４５、４６、４７  爪
【図１】
0003150805.tif 000003
【図２】
0003150805.tif 000004
【図３】
0003150805.tif 000005
【手続補正書】
【提出日】平成21年3月25日(2009.3.25)
【手続補正１】
【補正対象書類名】実用新案登録請求の範囲
【補正対象項目名】請求項６
【補正方法】変更
【補正の内容】
【請求項６】
表蓋外縁と基板表面の凹所外周、および裏蓋外縁と基板裏面の凹所外周とを封印手段により封印したことを特徴とする請求項４または請求項５に記載の遊技施設用の特殊景品。